(57)【要約】      （修正有）【課題】装着が簡単で、端縁部に取り付けできる締結具を得る。【解決手段】ケーブルの締結装置は、締結装置を基部分の端縁１０上に取り付ける端縁クリップ部分２０と、端縁クリップ部分２０内に挿入される金属部品１４と、ケーブルバンドロック１８と、ケーブルバンドロック１８内に導入することができるケーブルバンド１６とを含む。金属部品１４は、ケーブルバンドロック１８内に突き出す舌状体を有している。舌状体は、ケーブルバンド１６が導入されたとき、ケーブルバンド１６上に係合する。【選択図】図１
2008182880.tif 000002
【特許請求の範囲】
【請求項１】
ケーブルの締結装置において、
締結装置を基部分の端縁（１０）上に取り付ける端縁クリップ部分（２０）と、端縁クリップ部分（２０）内に挿入される金属部品（１４）と、ケーブルバンドロック（１８）と、ケーブルバンドロック（１８）内に導入することができるケーブルバンド（１６）とを含み、
前記金属部品（１４）は、ケーブルバンドロック（１８）内に突き出す舌状体（４４）を有し、
前記舌状体（４４）は、ケーブルバンド（１６）が導入されたとき、ケーブルバンド（１６）上に係合する、ケーブルの締結装置。
【請求項２】
請求項１に記載の締結装置において、
端縁クリップ部分（２０）、ケーブルバンドロック（１８）及びケーブルバンド（１６）は、プラスチックにて一体的に製造されることを特徴とする、締結装置。
【請求項３】
請求項１に記載の締結装置において、
端縁クリップ部分（２０）は、金属部品（１４）を端縁クリップ部分（２０）内に挿入するときに通ることができる開口部（３０）を有することを特徴とする、締結装置。
【請求項４】
請求項３に記載の締結装置において、
端縁クリップ部分（２０）は、一側部に取り付け空隙（２６）を有し、
金属部品（１４）に対する開口部（３０）が反対側部に提供されることを特徴とする、締結装置。
【請求項５】
請求項１に記載の締結装置において、
金属部品（１４）は、締結装置が取り付けられたとき、基部分上に直接係合する少なくとも１つの薄板金属製の爪部（４２）を有することを特徴とする、締結装置。
【請求項６】
請求項１に記載の締結装置において、
金属部品（１４）は、金属部品（１４）を規定された位置にて端縁クリップ部分（２０）内に保持する少なくとも１つの位置決め部分（４０）を有することを特徴とする、締結装置。
【請求項７】
請求項１に記載の締結装置において、
金属部品（１４）は、端縁クリップ部分（２０）の相応するディテント窓部（３４）内に係合する少なくともディテントフック部（３８）を有することを特徴とする、締結装置。
【請求項８】
請求項１に記載の締結装置において、
端縁クリップ部分（２０）は、金属部品（１４）に対するストッパを形成する保持部分（３２）を有することを特徴とする、締結装置。
【請求項９】
請求項８に記載の締結装置において、
端縁クリップ部分（２０）の保持部分（３２）は、保持部分（３２）の後方にて係合する金属部品（１４）の一部分（３６）である、フック部としての構造とされることを特徴とする、締結装置。
【請求項１０】
請求項１に記載の締結装置において、
端縁クリップ部分（２０）は取り付け方向を画成し、
ケーブルバンド（１６）は、ケーブルバンドロック（１８）内に導入される前に、取り付け方向に対して実質的に垂直に伸びることを特徴とする、締結装置。
【発明の詳細な説明】
【技術分野】
【０００１】
本発明は、ケーブルの締結装置に関する。
【背景技術】
【０００２】
例えば、個々のケーブル又はケーブルハーネスを薄板金属部品に固定するための色々な締結装置が特に、自動車業界にて既知である。締結装置を薄板金属部品に、又は、一般に、基部分に取り付けるため、基部分は、通常、締結装置のディテント要素が押し込まれる、１つ又はより多くの開口部を有している。ケーブルを付設するとき、ケーブルを基部分の端縁にて又は端縁に沿って固定する必要がある。
【発明の開示】
【発明が解決しようとする課題】
【０００３】
本発明の１つの目的は、好ましいコストにて製造することができ、また、装着が簡単であり、しかも、基部分の端縁に対してケーブルを極めて確実に固定することを可能にする締結装置を提供することである。
【課題を解決するための手段】
【０００４】
本発明に従い、ケーブルの締結装置は、締結装置を基部分の端縁上に取り付ける端縁クリップ部分と、端縁クリップ部分内に挿入される金属部品と、ケーブルバンドロックと、ケーブルバンドロック内に導入することができるケーブルバンドとを含む。金属部品は、ケーブルバンドロック内に突き出す舌状体を有している。舌状体は、ケーブルバンドが導入されたとき、ケーブルバンド上に係合する。本発明に従った締結装置は、ケーブルタイを有し又は有さずに、簡単に、基部分の端縁上に配置される。ケーブルバンドがケーブルバンドロック内に導入された後、ケーブルバンド上に係合する金属製の舌状体は、純粋にプラスチック製の従来のケーブルバンドのディテント機構を有するケーブルタイと比較して、明確に増大した引き抜き力を提供する、すなわち、ケーブルバンドは、意図せずに引き抜かれないよう一層良く固定される。このことは、従来のケーブルタイにて、ケーブルバンド及びケーブルバンドロックは、同一のプラスチックにて製造され、このことは、一方にて、ケーブルバンドの十分に僅かな曲がりを許容するが、他方にて、この可撓性のため、引き抜きに対する抵抗を制限することになると説明することができる。
【０００５】
好ましくは、端縁クリップ部分、ケーブルバンドロック及びケーブルバンドは、（１つの）プラスチックにて一体的に（単一物として）製造され、このため、締結装置の個々の部品数は最小限まで減少するようにする。金属部品のみが別個に製造される。
【０００６】
締結装置の特に簡単な組立体において、端縁クリップ部分は、金属部品を端縁クリップ部分内に挿入するときに通ることができる開口部を有する。開口部は、端縁クリップ部分の取り付け空隙に対向する端縁クリップ部分の側部に設けられることが好ましい。
【０００７】
締結装置が基部分の端縁から意図せずに引き抜かれるのに効果的に反作用するため、金属部品は、締結装置が取り付けられたとき、基部分上に直接係合する少なくとも１つの薄板金属製の爪部を有する。この場合、金属部品は二重の機能を果たす、すなわち、第一に、舌状体はケーブルバンドを固定し、第二に、薄板金属製の爪部は締結装置を基部分上にて拘束する。
【０００８】
金属部品は、金属部品を端縁クリップ部分内に位置決めし且つ確実に締結する少なくとも１つの位置決め部分を有しており、該位置決め部分は、金属部品を規定された位置にて端縁クリップ部分内に保持するか又は少なくともディテントフック部を有しており、該ディテントフック部は端縁クリップ部分の相応するディテント窓部内に係合する。
【０００９】
端縁クリップ部分内の金属部品の挿入路を制限するため、端縁クリップ部分は、金属部品に対するストッパを形成する保持部分を有している。端縁クリップ部分の保持部分は、保持部分の後方にて係合する金属部品の一部分である、フック部としての構造とされることが好ましい。
【００１０】
特別な適用例の場合、ケーブルバンドはケーブルバンドロック内に導入される前に、端縁クリップ部分により画成される取り付け方向に対して実質的に垂直に伸びることが望ましい。
【００１１】
本発明の更なる特徴及び有利な点は、添付図面を参照して好ましい実施の形態の以下の説明から明らかになるであろう。
【発明を実施するための最良の形態】
【００１２】
図１には、ケーブル又はケーブルハーネスを基部分の取り付け端縁１０に固定する作用を果たす、本発明に従った締結装置の個々の部品が示されている。基部分は、例えば、自動車の車体の薄板金属部品又は一部とすることができる。その構造に関して以下に更に詳細に説明する、プラスチック部品１２に加えて、締結装置はまた金属部品１４も有している。
【００１３】
単一物として製造されるプラスチック部品１２は、３つの機能部分、すなわち固定すべき１つ又は複数のケーブルの回りに配置されるケーブルバンド１６と、１つ又は複数のケーブルを固定するためケーブルバンド１６が内部に導入されるケーブルバンドロック１８と、基部分の端縁１０の上に締結装置を取り付ける端縁クリップ部分２０とに分割することができる。
【００１４】
図２において、プラスチック部品１２の更なる詳細を見ることができる。ケーブルバンドロック１８は、両端側部が開放した管路によって実質的に形成される。ケーブルバンド１６は、管路から実質的に垂直に伸びている。Ｕ字形の端縁クリップ部分２０は、２つのアーム２２、２４を含み且つ、ケーブルバンドロック１８の反対側にて接続される。アーム２２、２４は、取り付け空隙２６を画成し且つ基部分の端縁１０に対するストッパとして作用する接続部分２８により反対側部にて互いに接続されている。ケーブルバンドロック１８から反対側を向いた第一のアーム２２は、角度付き部分２２ａを有し、該角度付き部分は、第二のアーム２４の面取り加工端縁２４ａと共に、端縁１０への取付を容易にする。更に、第一のアーム２２は、弾性的に偏向可能であり、また、端縁１０上に取り付けた後、弾性力を加えるような構造とされている。
【００１５】
更に、プラスチック部品１２は、取り付け空隙２６と反対側の側部に開口部３０を有しており、該開口部３０を通して、図３に個別に示した金属部品１４を端縁クリップ部分２０内に挿入することができる。端縁クリップ部分２０は、金属部品１４に対して特に適合しており、また、保持部分３２を有し、該保持部分はフックの態様の構造とされ、また、金属部品１４に対するストッパとして機能し、該保持部分は、また、その重要性に関して以下に更に詳細に説明する２つのディテント窓部３４も有している。
【００１６】
金属部品１４（図３参照）は平坦な金属板から形成され、また、基部分３６を有しており、該基部分から、２つのディテントフック部３８、２つの位置決め部分４０及び２つの薄板金属製の爪部４２が伸びている。ディテントフック部３８は、第一の方向に向けて傾斜しており、位置決め部分４０は反対の第二の方向に向けて傾斜し、爪部４２は位置決め部分４０と同一方向に向けて傾斜している。更に、金属部品１４は、第一の方向に向けて曲げられた舌状体４４を有している。
【００１７】
図４には、開口部３０を通して金属部品１４をプラスチック部品１２の端縁クリップ部分２０内に挿入する方法が示されている。図５ａ、図５ｂ及び図５ｃには、金属部品１４が完全に挿入されたプラスチック部品１２が示されている。金属部品１４が押し込まれる間、端縁クリップ部分２０の保持部分３２はストッパとして作用し、金属部品１４の基部分３６はフック状の保持部分３２の後方にて係合する（図５ａ）。これにより、挿入方向Ａに向けた金属部品１４の動きは制限される。
【００１８】
更に、金属部品１４が押し込まれる間、ディテントフック部３８はプラスチック部品１２のディテント窓部３４内に係合し、このため、金属部品１４は挿入方向Ａ（図５ｂ）に対して反対方向である方向Ｂに対して確実に着座する。位置決め部分４０は、端縁クリップ部分２０内の金属部品１４を所定の位置まで押し且つ、金属部品１４がこの画成された位置（図５ｃ）を保つようにする措置を為す。
【００１９】
図６にて、金属部品１４の舌状体４４がケーブルバンドロック１８内に突き出し且つケーブルバンド１６がケーブルバンドロック１８内に導入されたとき、ケーブルバンド１６に直接係合することが理解できる。既知の態様にて、ケーブルバンド１６は、鋸歯状の輪郭外形１６ａを有する。プラスチック部品１２の材料と比較して、金属製の舌状体４４は遥かに高剛性であるため、極めて大きい引き抜き力が加わった場合でさえ、ケーブルバンド１６は、ケーブルバンドロック１８内に依然として確実に保持される。
【００２０】
最後に、図７には、基部分の端縁１０の上に取り付けられた後の締結装置が示されている（端縁クリップ部分２０の第一のアーム２２は非偏向状態にて示されている）。ケーブルバンドロック１８から反対側を向いた薄板金属製の爪部４２は、第二のアーム２４に面する基部分の側部に直接係合し、これにより締結装置が基部分の端縁１０から意図せずに引き抜かれるのを阻止する。
【００２１】
ケーブルを付設するとき、環境に依存して、最初に、ケーブルバンド１６をケーブル／ケーブルハーネスの回りに付設し且つケーブルバンド１６をケーブルバンドロック１８内に導入することにより、ケーブル／ケーブルハーネスを締結装置に固定するか又は最初に、締結装置を端縁１０の上に配置することにより、締結装置は基部分に取り付けられる。
【図面の簡単な説明】
【００２２】
【図１】本発明に従った締結装置の分解図である。
【図２】端縁クリップ部分の斜視図である。
【図３】金属部品の斜視図である。
【図４】端縁クリップ部分及び金属部品の斜視図である。
【図５】５ａ、５ｂ、５ｃは、金属部品が挿入された端縁クリップ部分の色々な斜視図である。
【図６】金属部品が挿入され、ケーブルバンドが導入された、締結装置の断面図である。
【図７】取り付けられた締結装置の側面図である。
【図１】
2008182880.tif 000003
【図２】
2008182880.tif 000004
【図３】
2008182880.tif 000005
【図４】
2008182880.tif 000006
【図５】
2008182880.tif 000007
【図６】
2008182880.tif 000008
【図７】
2008182880.tif 000009
【外国語明細書】
2008182880000001.pdf